【事件の表示】
　特許第２８８７４９０号「コンピュータミシンの模様選択装置」の特許に対する特許異議の申立てについて、次のとおり決定する。
【結　論】
　訂正を認める。
　特許第２８８７４９０号の特許を維持する。
【理　由】
１．手続きの経緯　
　本件特許２８８７４９０号は、平成１年１２月１５日に特許出願され、平成１１年２月１９日にその特許の設定登録がなされ、その後、ジューキ株式会社より特許異議の申立てがなされ、取消理由通知がなされ、その指定期間内である平成１２年４月２１日に訂正請求がなされたものである。
　
２．訂正の適否についての判断
(1) 訂正の内容
  特許権者が求めている訂正の内容は、以下のＡ、Ｂのとおりである。
Ａ．特許請求の範囲の請求項１の記載における
　「透明タッチパネルの読み取りに関するシステムプログラムにより操作位置に対応して出力される操作位置情報を表示される模様の大きさに対応するようにして所望の模様を選択するようにした」（以下、「記載Ａ」という。）との記載を、
　「透明タッチパネルの読み取りに関するシステムプログラムにより、表示された模様パターンの大きさに対応して、該模様パターン内に位置する選択検出部の選択操作に応じて出力される信号を該模様パターンに対応する操作位置情報として検出するように設定して所望の模様を選択するようにした」（以下、「記載ａ」という。）と訂正する。
Ｂ．明細書第１２頁４ないし７行目（特許公報第６欄２１行ないし２４行目）の記載における
　「又、大型模様の操作部１９ｂを選択操作することにより表示部兼選択部２０の模様パターン表示部２２ａはひらがなの選択の場合より広くなり模様パターンも大きくなる（第７図参照）。」（以下、「記載Ｂ」という。）との記載を
　「又、大型模様の操作部１９ｂを選択操作することにより表示部兼選択部２０の模様パターン表示部２２ａはひらがなの選択の場合より広くなり模様パターンも大きくなる。第７図に示すように、大きく表示された各模様パターン２２ａにタッチパネル２１の横の信号線Ａ，Ｂと縦の信号線１，２…１４の交点が対応し、一つの模様パターン２２ａに対しては、その模様の範囲内に位置する上下４個のタッチキーすなわち選択検出部が対応している。
　４個のタッチキーの何れを押圧しても、そのタッチキーすなわち選択検出部が属する模様を選択することができ、下方の選択パターン表示部２２ｂに選択された模様を表示する。」（以下、「記載ｂ」という。）と訂正する。
　
(2) 訂正の目的の適否、新規事項の有無及び特許請求の範囲の拡張・変更の有無
  訂正Ａは請求項１に係る発明の「操作位置に対応して出力される操作位置情報を表示される模様の大きさに対応するようにして」と記載された構成が「表示された模様パターンの大きさに対応して、該模様パターン内に位置する選択検出部の選択操作に応じて出力される信号を該模様パターンに対応する操作位置情報として検出するように設定」することであることをより明確にするものであり、訂正Ｂは、訂正Ａで明確にされた模様パターンと選択検出部との関係をさらに具体的に説明するものであるから、訂正Ａ、Ｂはいずれも、明りょうでないでない記載の釈明を目的とするものに該当し、しかも、願書に添付した出願当初の明細書の８頁４ないし１６行目、１０頁１９行目ないし１２頁７行目と、３図、７図、８図に記載された事項の範囲内のものであり、実質上に特許請求の範囲を拡張又は変更するものではない。
　したがって、訂正Ａ、Ｂは、特許法等の一部を改正する法律（平成６年法律第１１６号）附則第６条第１項の規定によりなお、従前の例によるとされる、特許法第１２０条の４第２項、同条第３項で準用する同法第１２６条第２、３項の規定に適合するので、当該訂正を認める。
　
３．特許異議申立てについての判断
(1) 本件発明
  本件請求項１に係る発明は、訂正明細書の特許請求の範囲の請求項１に記載されたつぎのとおりのものである。（以下、「本件発明」という。）
　「ミシン機枠内に回転自在に支持された上軸と、該上軸の回転に連動して上下往復動し且つ揺動可能な針と、該針と協働して縫い目を形成する糸輸捕捉手段と、前記針に相対的に加工布を移動する布移動手段とを備え、縫いデータに基づき加工布上に模様縫目を形成するようにしたコンピュータミシンにおいて、
　前記ミシン機枠の操作側に配置され、表示データに基づいて選択可能な複数の模様を形象表示する表示手段と、
　該表示手段の上に配置され、操作位置に対応して操作位置情報を出力する透明タッチパネルと、該透明タッチパネルの読み取りに関するシステムプログラムを記憶する記憶手段と、前記表示手段の表示切り換えに関するシステムプログラムを記憶する記憶手段と、
　複数の相異なる模様について予め複数の系統別に集約した模様の模様データを記憶する縫い模様情報記憶手段と、
　模様の表示データであって、前記模様データと同様に予め複数の系統別に集約して記憶され、模様の種類により異なる大きさの表示データを記憶する表示用データ記憶手段と、
　前記集約された模様毎に対応して設けられて、選択操作により所望の模様群を選択指定する複数の模様パターンブロック選択手段とを備え、
　該模様パターンブロック選択手段の操作により選択された模様群に対応して表示切り換えに関するシステムプログラムにより前記表示用データ記憶手段から選択された模様群の模様を前記表示手段に表示すると共に、
　透明タッチパネルの読み取りに関するシステムプログラムにより、表示された模様パターンの大きさに対応して、該模様パターン内に位置する選択検出部の選択操作に応じて出力される信号を該模様パターンに対応する操作位置情報として検出するように設定して
　所望の模様を選択するようにしたことを特徴とするコンピュータミシンの模様選択装置。」
(2) 申立ての理由の概要
i)理由１
　申立人は、特許請求の範囲の記載について、特許を受けようとする発明が発明の詳細な説明に記載されておらず、また、発明の詳細な説明の記載について、特許請求の範囲に記載された発明を当業者が実施できる程度に記載されていないから、本件発明に係る特許は、その明細書の記載が、特許法第３６条第３項及び第４項（申立書記載の「特許法第３６条第４項及び第６項」は誤りである。）に規定する要件を満たしていない特許出願に対してなされたものであるから取り消されるべきである旨主張している。
ii)理由２
　申立人は、証拠として甲第１、２号証を提出し、本件発明は、甲第１、２号証に記載された発明に基づいて当業者が容易に発明をすることができたものであり、本件発明に係る特許は、特許法第２９条第２項の規定に違反してなされたものであるから、取り消されるべきである旨主張している。
　
(3) 当審の判断
i)理由１について
  申立人が、発明の詳細な説明に記載されていないと主張している特許請求の範囲の記載は、前記の２．訂正の適否についての判断（１）訂正の内容に記載した訂正前の明細書における「記載Ａ」であり、当該記載は、訂正により「記載ａ」とされ、その記載に対応した発明の詳細な説明の「記載Ｂ」も「記載ｂ」のように訂正された結果、「記載ａ」は、発明の詳細な説明に記載したものとなり、また、その記載により特定される発明を当業者が容易に実施し得る程度の事項は、「記載ｂ」として明細書の発明の詳細な説明の項に記載されていることとなった。
　したがって、本件の明細書の記載は、特許法第３６条第３項及び第４項に規定する要件を満たしている。
　
ii)理由２について
a)証拠
  異議申立人が提出した、甲第１号証［特開平１−３０５９８８号公報（平成１年１２月１１日公開）］には、
「ディスプレイ画面と該画面上の所望の位置を指示入力するための入力手段の組み合わせにより多機能スイッチを構成した、ミシンにおけるデータ設定装置」に関する発明が記載されており（第２頁右上欄第８〜１１行の記載参照）、
「ディスプレイ１では任意の文字・画像の表示を行うことが可能であり、表示制御手段２の制御により、予めプログラムされたスイッチ図形は位置パターンにしたがって、画面上に１または複数のスイッチ図形を表示する。入力手段３によりディスプレイで表示されている所望のスイッチ図形を指示すると判定手段４では、前記スイッチ図形配置パターンに従って、該入力手段によって指示入力されたスイッチ図形が前記ディスプレイ画面上のどのスイッチ図形であるかを判定する。この判定に応じて、該スイッチ図形に係るスイッチがオンされたものとして、つまり該スイッチ図形に割り当てられている機能に対応するスイッチ入力がされたものとして処理される。」（第３頁右上欄第１３行〜左下第７行）、
「ディスプレイ１におけるスイッチ図形配置パターンを切り換える（つまりディスプレイ１における画面を切り換える）ことにより、ミシンにおける各種データ設定・選択のための様々なスイッチ機能を実現することができる。」（第３頁左下欄第８〜１２行）、
「一実施態様として、表示制御手段は、複数の前記スイッチ図形配置パターンを予め配置した画面パターンメモリを含み、この画面パターンメモリから１つのスイッチ図形配置パターンを選択的に読み出して該スイッチ図形パターンにおけるスイッチ図形を前記ディスプレイで表示させるものであってもよい。」（第３頁左上欄第３〜９行）、
「一実施態様として、前記入力手段は該ディスプレイの前面にマトリクス状に配置された複数のスイッチ素子からなる透明なシート状のマトリクススイッチ部を備えるものであってもよい。」（第３頁左上欄第１５〜１８行）、
等が、記載されている。
　また、異議申立人が提出した甲第２号証［特開昭６２−７２３９０号公報（昭和６２年４月２日公開）］には、「電子制御式ジグザグミシンの縫目模様表示兼入力装置」に関する発明が記載されており（第１頁右下欄第１４〜１５行の記載参照）、縫目模様表示兼入力装置は、選択的に読み出し可能な縫い目模様を格納する記憶手段を制御装置内に備え、複数行複数列のマトリックス状に配置された操作応答作動部に対応させて複数行複数列のマトリックス状に多数の縫目を表示してなる模様表示カードおよび必要に応じて着脱自在の図形入力用表示カードをを設けること（第２頁右下欄第６行〜第３頁左上欄第１０行）、模様表示カードに表示された多数の縫目模様のうちの所望のものを直接指先で押圧して操作すること（第３頁右上欄第１３行〜左下欄第１行）などが記載されている。
b)判断
　異議申立人の提出した甲第１号証及び２号証のいずれにも、本件請求項１に係る発明の構成である、
「透明タッチパネルの読み取りに関するシステムプログラムにより、表示された模様パターンの大きさに対応して、該模様パターン内に位置する選択検出部の選択操作に応じて出力される信号を該模様パターンに対応する操作位置情報として検出するように設定して所望の模様を選択するようにした」
構成については記載も示唆もされていない。
　そして、本件請求項１に係る発明は、この構成により「大形模様の操作部１９ｂを選択操作することにより表示部兼選択部２０の模様パターン表示部２２ａはひらがなの選択の場合より広くなり模様パターンも大きくなる。………一つの模様パターン２２ａに対しては、その模様の範囲内に位置する上下４個のタッチキーすなわち選択検出部が対応している。４個のタッチキーの何れを押圧しても、そのタッチキーすなわち選択検出部が属する模様を選択することができ、下方の選択パターン表示部２２ｂに選択された模様を表示する。」という甲第１号証及び甲第２号証の記載から予測し得ない作用をなすことができ、その結果、誤選択を起こし難くするという特有の効果を奏するものである。
  したがって、本件請求項１に係る発明は、甲第１号証及び甲第２号証に記載された発明に基づいて当業者が容易に発明をすることができたものではないので、特許法第２９条第２項の規定により特許を受けることができないものとすることはできない。
　なお、異議申立人は、本件の訂正前の請求項１に係る発明と、甲第１号証に記載された発明を対比して、その相違点について、甲第２号証に記載された発明を適用すれば、本件訂正前の請求項１に係る発明を得ることは容易である旨を主張しているが、本件訂正後の請求項１に係る発明が、甲第１号証及び甲第２号証に記載も示唆もされていない構成を具備することは、上記のとおりであるので、異議申立人の主張は採用しない。
　
４．むすび
　以上のとおりであるから、本件明細書の記載は、特許法第３６条第３項及び第４項の規定を満たしており、本件請求項１に係る特許は特許法第２９条第２項の規定に違反してなされたものではない。
　また、他に、本件請求項１に係る特許を取り消すべき理由を発見しない。
　よって、結論のとおり決定する。
【異議決定日】
平成１２年６月１２日（２０００．６．１２）
【訂正の要旨】
訂正の要旨
Ａ．特許請求の範囲の請求項１の
　「透明タッチパネルの読み取りに関するシステムプログラムにより操作位置に対応して出力される操作位置情報を表示される模様の大きさに対応するようにして所望の模様を選択するようにした」の記載を、明りょうでない記載の釈明を目的として、
　「透明タッチパネルの読み取りに関するシステムプログラムにより、表示された模様パターンの大きさに対応して、該模様パターン内に位置する選択検出部の選択操作に応じて出力される信号を該模様パターンに対応する操作位置情報として検出するように設定して所望の模様を選択するようにした」と訂正する。
Ｂ．明細書第１２頁４〜７行目（特許公報第６欄２１行〜２４行目）の
　「又、大型模様の操作部１９ｂを選択操作することにより表示部兼選択部２０の模様パターン表示部２２ａはひらがなの選択の場合より広くなり模様パターンも大きくなる（第７図参照）。」の記載を、明りょうでない記載の釈明を目的として、
　「又、大型模様の操作部１９ｂを選択操作することにより表示部兼選択部２０の模様パターン表示部２２ａはひらがなの選択の場合より広くなり模様パターンも大きくなる。第７図に示すように、大きく表示された各模様パターン２２ａにタッチパネル２１の横の信号線Ａ，Ｂと縦の信号線１，２…１４の交点が対応し、一つの模様パターン２２ａに対しては、その模様の範囲内に位置する上下４個のタッチキーすなわち選択検出部が対応している。
　４個のタッチキーの何れを押圧しても、そのタッチキーすなわち選択検出部が属する模様を選択することができ、下方の選択パターン表示部２２ｂに選択された模様を表示する。」と訂正する。
（５４）【発明の名称】
コンピュータミシンの模様選択装置
（５７）【特許請求の範囲】
　【請求項１】　ミシン機枠内に回転自在に支持された上軸と、該上軸の回転に連動して上下往復動し且つ揺動可能な針と、該針と協働して縫い目を形成する糸輪捕捉手段と、前記針に相対的に加工布を移動する布移動手段とを備え、縫いデータに基づき加工布上に模様縫目を形成するようにしたコンピュータミシンにおいて、前記ミシン機枠の操作側に配置され、表示データに基づいて選択可能な複数の模様を形象表示する表示手段と、該表示手段の上に配置され、操作位置に対応して操作位置情報を出力する透明タッチパネルと、該透明タッチパネルの読み取りに関するシステムプログラムを記憶する記憶手段と、前記表示手段の表示切り換えに関するシステムプログラムを記憶する記憶手段と、複数の相異なる模様について予め複数の系統別に集約した模様の模様データを記憶する縫い模様情報記憶手段と、模様の表示データであって、前記模様データと同様に予め複数の系統別に集約して記憶され、模様の種類により異なる大きさの表示データを記憶する表示用データ記憶手段と、前記集約された模様毎に対応して設けられて、選択操作により所望の模様群を選択指定する複数の模様パターンブロック選択手段とを備え、該模様パターンブロック選択手段の操作により選択された模様群に対応して表示切り換えに関するシステムプログラムにより前記表示用データ記憶手段から選択された模様群の模様を前記表示手段に表示すると共に、透明タッチパネルの読み取りに関するシステムプログラムにより、表示された模様パターンの大きさに対応して、該模様パターン内に位置する選択検出部の選択操作に応じて出力される信号を該模様パターンに対応する操作位置情報として検出するように設定して所望の模様を選択するようにしたことを特徴とするコンピュータミシンの模様選択装置。
【発明の詳細な説明】
（産業上の利用分野）
　本発明はミシンの模様選択装置に関するものであり、特に被選択の文字を含む各模様パターンを系統別な群毎に選択できるようにすると共に選択された模様群の各模様パターンを表示部に表示し且つ群内の複数の模様パターンの表示を繰返し切換えできるようにした模様選択装置に関するものである。
（従来の技術）
　従来よりミシンのデータ記憶部に予め複数の模様データを記憶し、該複数の模様データの中から所望の模様パターンに対応するものを読み出して模様縫目を形成するものが提案されている。
　然し乍ら最近のミシンでは模様パターンの増加に伴い表示部スペースが限定されている為に模様パターン表示部が緻密化すると共に模様パターンの選択操作が複雑化している。
　例えば第１０図に示すものは従来の模様パターン選択操作部であるが、斯様な模様パターン選択装置ではひらがなの「ろ」を選択しようとすると３５個の模様パターンキー群５１の中からら〜ろキー５２を見つけ該ら〜ろキーを５回繰返して押すことにより「ろ」が選択されＬＣＤ表示部５３に「ろ」を表示せしめるものであるから、複数の文字を組合せる「組合せ文字」の選択は操作が煩雑になっているのは明らかである。
（発明が解決しようとする課題）
　本発明はより多くの複数の模様パターンに対応する模様データを記憶部に記憶すると共に該記憶部からの模様データの読み出し操作をより容易にすると共に誤操作のチェックを簡単に出来るようにしたものである。
（課題を解決するための手段）
　本発明はより多くの複数の模様パターンに対応する模様データを記憶する記憶部から所望の模様データを読み出す操作をより容易にするために複数の模様パターンを系統別に集約化して分割化し、分割化された模様データを選択する為の操作部の操作により集約化された模様パターンをＬＣＤ（液晶）表示部に表示して、前記表示部に表示できない他の模様パターンをブロック別の同一操作部を繰返し操作することにより表示を順次切換えられるようにし且つ表示部に表示された模様パターンを直接触れて選択できるようにし、そして選択した模様パターンを他の表示部に表示して確認できるようにしたものである。
（作用）
　本発明はミシン機枠と、該ミシン機枠内に回転自在に支持され駆動モータにより回転せしめられる上軸と、該上軸に連結し上下動自在な針棒と、該針棒を支持して揺動自在に支持される針棒支持体と、前記ミシン機枠に回転自在に支持され糸輪捕捉端が形成される釜部と、ミシン機枠に支持される水平送り軸に連結の送り台上に装着され四送り運動せしめられる送り歯と、該送り歯の水平送り運動を制御駆動する制御駆動部と、前記針棒支持体の揺動を制御駆動する第２制御駆動部と、該複数の制御駆動部の制御信号を模様データとして予め記憶し、模様パターンの選択操作により模様データが読み出される記憶部とを備えたコンピュータミシンにおいて、前記ミシン機枠の前壁に装着された操作パネルと、該操作パネル上に設けられ前記記憶部に記憶されている複数の模様データの中から系統別に集約化して選択し記憶されている前記模様データの数よりも少ない複数の模様パターンブロック選択操作部と、前記操作パネル上に設けられ表側の透明タッチパネルと裏側の液晶表示板とでなる模様パターン表示選択部と、前記模様パターンブロック選択操作部の繰り返し操作により前記記憶部の模様パターンを前記表示部に順次切換えてに表示せしめ、表示された模様パターンを触圧操作することにより第２表示部に表示せしめることを特徴とするものである。
（実施例）
　本発明の実施例を図面により説明すると、１はミシン機枠で、該ミシン機枠はアーム機枠２とベッド機枠３との一体化されたものであり、アーム機枠２の前面開口には前面枠４が設けられ、該前面枠には操作パネル５が装着されている。
　前記アーム機枠２には駆動モータ６により回転せしめられる上軸７が支持されており、該上軸の回転は端部に固着されたクランクを介して針棒８を上下運動せしめている。９はステッピングモータで、該ステッピングモータは横ブレロッド１０を介して前記針棒８を支持する針棒支持体１１に連結し前記針棒８の振幅を制御駆動する。
　前記ベッド機枠３には釜部１２が回転自在に支持され、該釜部の一端に形成の糸輪捕捉部が前記針棒８の下端に装着された針１３と協働するように交差せしめられる。
　布送り用の送り歯１４は送り台１５に装着されステッピングモータ１６により水平運動量を制御駆動せしめられ且つ上下カム１７にて上下運動を加味されて、水平送り軸１８により四送り運動が付与される。
　前記ステッピングモータ１６と前記ステッピングモータ９とは記憶されている模様データにより制御駆動せしめられるので選択された所望の模様パターンが針１３と釜１２の協働運動と送り歯１４の運動により模様縫目が形成せしめられる。
　前記操作パネル５には複数の模様パターンをいくつかの系統別的に集約化した模様パターンブロック選択操作部１９ａ、１９ｂ、１９ｃ…が配設されると共に模様パターンの表示兼選択部２０が設けられている。
　ブロック選択操作部１９ａ、１９ｂ、１９ｃ…は直線縫やジグザグ縫等実用的なユーティリティ選択操作部１９ａ、普通の模様縫よりもサイズが大きい大型模様の選択操作部１９ｂ、ひらがなの文字の選択操作部１９ｃ、カタカナの文字の選択操作部１９ｄ、各種形状（例えばねむり目、鳩目等）のＢＨ（ボタンホール）の選択操作部１９ｅ等である。前記模様パターンの表示兼選択部２０は第８図に示す如く表側に配置された透明タッチパネル２１と裏側に配置された液晶表示板２２とで構成されている。前記透明タッチパネル２１の選択検出部に対応する位置に前記液晶表示板２２の表示が行われる如く位置決めされている。即ち前記透明タッチパネル２１は第８図の如くＡ，Ｂの横の信号線２本と１から１５の縦の信号線１５本とが配置されており、その交点３０箇所が選択検出部であってタッチキーに対応している。従って交点２１ａは横の信号線Ａと縦の信号線１との交点であって、該交点を操作すると信号Ａ１が選択検出されたことになる。
　前記液晶表示板２２は第３図と第８図に示す如く、記憶されている模様データに対応の模様パターンを系統別毎に選択可能に表示する模様パターン表示部２２ａと、該模様パターン表示部を押圧操作して選択した模様パターンを選択した順序で表示する選択模様パターン表示部２２ｂと、選択した模様パターンを変更設定する（例えば模様の大きさを変える）ための機能選択表示部２２ｃとが配設されている。
　次に本発明ミシンの制御装置について述べると第９図の２３は中央演算装置及び模様表示回路であって、該中央演算装置及び模様表示回路には前記ブロック選択操作部１９ａ，１９ｂ，透明タッチパネル２１，液晶表示板２２を含む液晶モジュール、ステッピングモータ制御回路２４、下糸検出センサー２５，上糸検出センサー２６，外部メモリーのＲＯＭカセットが接続可能なカセットホルダー２７，コントローラ３７，模様データ等を記憶している記憶手段（ＲＯＭ）３８が接続されている。又前記ステッピングモータ制御回路２４には振幅ステッピングモータ２８，布送りステッピングモータ２９，糸調子ステッピングモータ３０，押え圧ステッピングモータ３１，上軸位相検出器３２、電源トランス３４を介して電源用プラグ受け３３が接続されている。
　又該プラグ受３３には駆動モータ制御回路３５を介して駆動モータが接続されている。
　３７はスピードコントローラであり、足踏操作により中央演算装置及び模様表示回路２３から制御信号が発信するので駆動モータ制御回路３５を介して前記駆動用モータ３６が制御される。
　前記液晶モジュールは前記液晶表示板２２に表示させる模様パターンに対応の模様データを一時記憶するＶＲＡＭ（ビデオラム）として構成されている。
　前記記憶手段（ＲＯＭ）３８は読み出し専用の記憶手段であって、前記透明タッチパネル２１の読み取りに関するシステムプログラム記憶手段、前記液晶表示板２２の切り換え表示に関するシステムプログラム記憶手段、縫目形成の模様データを含む縫い模様情報記憶手段、表示用データ記憶手段で構成されている。
　次に本発明の模様選択動作について述べると、まず電源投入し次に模様パターンブロック選択操作部１９ａ…を操作し、例えば「ひらがな」の選択操作部１９ｃを操作すると、記憶部に記憶されている「ひらがな」の模様データのうち前記表示部２０に表示されうる数だけ、第３図に示されるものは「あ」から「そ」までの１５個の模様データが読み出されそのデータに対応の模様パターンが表示される。表示状態は表示部２２ｄに表示される。所望の「ひらがな」が表示されなければ前記模様パターンブロック選択操作部１９ｃを繰り返し操作することにより模様データが順次選択され、前記表示部２０の表示を第４図、第５図、第６図に示すように切換えることが出来る。所望の「ひらがな」が表示されていれば直接押圧操作することにより表示部兼選択部２０に構成の透明タッチパネル２１を触圧することにより選択され模様データを読み出すことが出来、下段の表示部２２ｂに模様パターンを表示せしめることになり、連続して選択操作をすることにより複数の模様パターンの組合せが出来ることとなる。
　選択された模様は振幅送り量は自動的に決定されるが、変更したい場合はマニュアル操作部の振幅操作部２２ｅ及び送り操作部２２ｆを操作して調節することも可能である。
　又、大型模様の操作部１９ｂを選択操作することにより表示部兼選択部２０の模様パターン表示部２２ａはひらがなの選択の場合より広くなり模様パターンも大きくなる。第７図に示すように、大きく表示された各模様パターン２２ａにタッチパネル２１の横の信号線Ａ，Ｂと縦の信号線１，２…１４の交点が対応し、一つの模様パターン２２ａに対しては、その模様の範囲内に位置する上下４個のタッチキーすなわち選択検出部が対応している。
　４個のタッチキーの何れを押圧しても、そのタッチキーすなわち選択検出部が属する模様を選択することができ、下方の選択パターン表示部２２ｂに選択された模様を表示する。
　大型模様の模様データも当然大きいので縫目形成模様はひらがなよりも大きい。該大型模様パターンをマニュアルで拡大拡小したい場合は表示状態を示す表示部２２ｄのマニュアル操作部を操作することにより可能となる。
（効果）
　本発明は以上の如き構造及び作用をなすものであるから、内蔵記憶されている模様データを予め系統別にブロック選択が出来るようにし、選択されたブロック内の各模様パターンを表示部に表示せしめると共に表示された模様パターンを直接触れて操作することにより模様パターンの選択を可能にし且つ選択した模様パターンを第２の表示部に表示できるようにしたので誤選択を起こし難くしたものであり実用上効果大なるものである。
【図面の簡単な説明】
　図面は本発明の実施例を示すものにして、第１図は本発明装置を装着したミシンの外観図、第２図は本発明を実施するミシンの内部機構図、第３図は本発明装置の操作パネルの正面図、第４図、第５図、第６図は本発明装置の操作パネルの要部正面図、第７図は本発明装置の操作パネルの正面図、第８図は本発明装置の操作パネルの分解斜視図、第９図は本発明装置のブロック図、第１０図は従来ミシンの模様選択装置の正面図であり、１はミシン機枠、５は操作パネル、７は上軸、８は針棒、９は振幅制御駆動部、１１は針棒支持体、１２は釜部、１４は送り歯、１６は送り制御駆動部、１９ａ、１９ｂ、１９ｃ…は模様パターンブロック選択操作部、２０は模様パターン表示部兼選択部、３８は模様データ記憶部である。